(57)【特許請求の範囲】
【請求項１】
吸収性物品の表面にローション（５）を付与するための方法であって、前記方法が：
−  開口（２）を持つ噴霧ヘッド（１）を含む噴霧装置の近傍に吸収性物品の表面を置く；
−  噴霧ヘッド開口（２）を通じて、５５℃で測定されたとき少なくとも０．２Ｐａの貯蔵弾性率を示すローション（５）を押し出す；
前記ローションが連続繊維状ストリングとして表面に推進させられる、
ことを特徴とする方法。
【請求項２】
吸収性物品の表面が噴霧ヘッド（１）から１５から３００ｍｍの距離に置かれることを特徴とする請求項１に記載の方法。
【請求項３】
ローションが開口（２）から分離されている空気流（４）により開口から推進させられることを特徴とする請求項１に記載の方法。
【請求項４】
ローション（５）が少なくとも８０ｍ／分の速度で送出されることを特徴とする請求項１に記載の方法。
【請求項５】
ローション(５)がらせん形の連続繊維状ストリングとして表面に推進させられることを特徴とする請求項１に記載の方法。
【請求項６】
繊維状ストリングが２．２ｍｍ未満の直径を持つことを特徴とする請求項１に記載の方法。
【発明の詳細な説明】
【技術分野】
【０００１】
本発明は吸収性物品の表面にローションを付与するための方法に関し、前記方法は：吸収性物品の表面を開口を持つ噴霧ヘッドを含む噴霧装置の近傍に置きそして噴霧ヘッド開口を通してローションを押し出す段階を含む。
【背景技術】
【０００２】
例えばトップシート上に付与されたローションを持つ吸収性物品はかなり前からこの分野内で既知である。おむつ、失禁製品、衛生ナプキン等のような吸収性物品上にローションを付与することにより、製品に付加価値が与えられる。
【０００３】
ＷＯ  ９６／１６６８２に記載のように、ローションまたは同様物はおむつのトップシート上に置かれることができる。この様式で、ローションはふん便との接触に起因する刺激を減らす遮断性を皮膚に付加すると言われている。
【０００４】
更にさかのぼると、ローションの同様な使用は例えばＵＳ  ３８９６８０７を通して既知であり、それはおむつの表面が、水分に露出されると油中水型（Ｗ／Ｏ）または水中油型（Ｏ／Ｗ）エマルションを形成する乳化可能相でどのように仕上げられるかを記載する。この製品の使用時に、エマルションは使用者の皮膚に移転され、使用者の皮膚にスキンケア物質を付加するための媒介物として作用するであろう。
【０００５】
初期に公開された文献において、どのようにローションが吸収性物品上に付与されるかの幾つかの例が与えられている。
【０００６】
ＷＯ  ９６／１６６８１において、噴霧、印刷（例えばフレキソ印刷）、塗布及び押出が付与法の例として記載されている。噴霧技術により、９×１８ｃｍの寸法を持つパターンを噴霧することができると言われている。
【０００７】
ＷＯ  ９８／２４３９０及びＷＯ  ９９／４５９７４において、スロット塗布、押出塗布、グラビア塗布、噴霧及び印刷が記載されている。ローションは筋、方形、点またはらせん形で付与されることができる。
【０００８】
ＷＯ  ００／４８５４４は吸収性物品上にローションを付与するのに使用される技術をもう少し徹底的に記載する。より詳細には、噴霧が記載されている。噴霧するとき、ローションはノズルを通して空気により推進される。しかし、それはまた、実質的に空気の使用なしにノズルを通して推進されることができる。更に、ノズルは噴霧時にらせん形、方形、筋または円のようなパターンを形成するように機械的に操作されることができることが記載されている。方形のような希望のパターンを達成するために、ノズル自体が変更される必要がある。また、筋は０．１インチの最小幅を持つことが述べられている。
【０００９】
現存する噴霧技術は吸収性物品に付加価値を与えることを望む吸収性物品の製造者に幾らかの利益を提供する。しかし、従来技術が除去に失敗した幾つかの欠点がなお存在する。
【００１０】
ローションがノズルの開口を通して高速度で噴霧されるとき、高い量の応力に曝される。応力は純粋に機械的応力のみならず、圧力差にも起因する。これはローションをエアロゾルに完全にまたは部分的に変えさせ、このことは付与されたパターンの品質及び工程の柔軟性に大きく影響を及ぼす。
【００１１】
らせん形、筋または円のようなパターンを作ることが可能だとしても、付与されたパターンは周囲が拡散し、エアロゾル化した噴霧ストリングは正確な態様でローションを付加することを困難にする。
【００１２】
噴霧ヘッドのノズルは噴霧表面にきわめて接近していることが必要である。これは噴霧ストリングが非制御態様で大きく拡散されるのを防ぐ。しかし、これは工程柔軟性に対して厳しい制限である。なぜなら、たとえ最もわずかな量のエアロゾルが形成されるとしても、それは取扱い及び工程の柔軟性を複雑にするからである。
【００１３】
噴霧されたストリングの周囲に位置するエアロゾルからの微細な液滴は吸収性芯のまたは獲得層の毛管力により吸収性芯中に容易に吸い込まれる。これは吸収容量及び吸収性物品の獲得速度を低下する。従って吸収性物品の表面上にローションを保つことは重要である。
【００１４】
工程上の観点から、吸収性物品を製造するときにエアロゾルを取扱うのは困難である。エアロゾルの量を大いに減らすことは製造装置のメンテナンス及びクリーニングの必要量を減らす。
【００１５】
従って、簡単でかつ効率的な態様で吸収性物品にローションを付与する方法に対する要求がある。それ故、本発明の目的は上述の問題を解決すること及び吸収性物品にローションを付与するための改善された方法を提供することである。また本発明の目的はうまく規定された付与パターンで配置されたローションを持つ吸収性物品を提供することである。
【発明の開示】
【００１６】
本発明は吸収性物品にローションを付与する方法を提供する。本発明の方法はローションが連続繊維状ストリングとして噴霧されることで区別される。
【００１７】
字句“繊維状ストリング”はローションが連続ストリングの形であること及びエアロゾルが全く形成されないことを意味する。連続パターンで噴霧される普通のローションと対照的に、繊維状ストリングとして噴霧されたローションは噴霧ヘッド開口を離れるときエアロゾルまたは液滴を形成しない。ローションは間欠パターンでまたは連続パターンで置かれることができる。しかし、ストリング自体はなお連続的である。加えて、繊維状ストリングは普通の噴霧ストリングに比べたとき比較的細い。
【００１８】
より詳細には、本発明は吸収性物品の表面にローションを付与するための方法に関し、前記方法は：開口を持つ噴霧ヘッドを含む噴霧装置の近傍に吸収性物品の表面を置く；噴霧ヘッド開口を通してローションを押し出す；及びローションを連続繊維状ストリングとして表面に推進させる；段階を含む。
【００１９】
字句“近傍”は噴霧装置が吸収性物品の表面に直接接触させられるまたはきわめて接近させられる必要があることを意味すると取られるべきでない。本発明によれば噴霧ヘッド及び噴霧装置は数メートルのホースまたはパイプまたは同様物により分離されることができる。字句“近傍”は吸収性物品の表面、噴霧ヘッド及び噴霧装置間の相互関係を示すものとして解釈されるべきである。
【００２０】
筋または普通の線で噴霧する代わりに連続繊維状ストリングとしてローションを推進することにより、幾つかの利点が得られる。繊維状ストリングの使用のため、噴霧ヘッドは吸収性物品の表面から広範囲の距離内に置かれることができる。本発明の一実施態様において、表面は噴霧ヘッドから１５−３００ｍｍの距離に置かれる。
【００２１】
幾つかの異なる種類の噴霧ヘッドが使用されることができる。本発明の一実施態様において、ローションは開口から分離されている空気流により開口から推進させられる。本発明の別の実施態様においてローションは少なくとも８０ｍ／分の速度で噴霧される。
【００２２】
本発明の好適実施態様においてローションはらせん形の連続繊維状ストリングとして吸収性物品の表面に推進させられる。
【００２３】
本発明はローションの非常に細い繊維状ストリングを噴霧することを可能とする。これはローションを節約し、並びに例えば吸収性物品のトップシートのブロッキングを妨げる。本発明の一実施態様において繊維状ストリングは２．２ｍｍ未満、好ましくは１ｍｍ未満、最も好ましくは０．７５ｍｍ未満の直径を持つ。
【００２４】
驚くべきことに、本発明者はホットメルト接着剤を噴霧するために通常使用される噴霧装置及び５５℃で測定されたとき貯蔵弾性率Ｇ′＞０．２Ｐａ、好ましくは５５℃で測定されたとき貯蔵弾性率Ｇ′＞０．６Ｐａの弾性挙動を持つローションを用いることにより、注目すべき結果が達成されることを見出した。
【００２５】
この技術と組合せて５５℃で測定されたとき貯蔵弾性率Ｇ′＞０．２Ｐａを持つローションを用いることはローション分裂またはローションエアロゾルまたは液滴の形成なしに高温度でローションを加工する可能性を提供する。これはローションの融点に近い温度で加工することに帰すべきローションの固まり形成を妨げる。かかる固まりはそうでなければチューブまたはノズルの閉塞を起こすに違いない。
【００２６】
この技術はまた工程周りにきれいな環境を得ることを可能とする。ローション分裂に帰すべきエアロゾルの形成を排除することにより、殆どクリーニング及びメンテナンスを必要としない。
【００２７】
本発明による噴霧技術及び特定のローションパラメーターが以前の噴霧技術またはスロットコーティングのような技術による製造より融通のきく製造を提供することを可能とする。更に、本発明は以前より長い距離から噴霧すること及び吸収性物品の表面上に正確なパターンを付与することを可能とする。一例として、今や幾つかのストリングを互いに積み重ねてウェブ状ローションパターンを形成する三次元状パターンでローションを噴霧することが可能である。
【００２８】
その弾性挙動のため、ローションは毛管作用により吸収性芯中に吸引されるのを妨げられる。その代わり、ローションは吸収性物品のトップシート上にとどまる。
【００２９】
本発明の一実施態様において、噴霧ヘッドが吸収性物品上にローションを付与するために使用され、この噴霧ヘッドは使用時に前記ローションが通過する開口を含む。幾つかの空気流出口が開口周りに置かれかつ開口から分離されている。従って使用時には空気流が連続繊維状ストリングのローションを開口及び噴霧ヘッドから離れる方向に推進させる。
【００３０】
噴霧ヘッドは噴霧装置と組合せて使用され、ローションを吸収性物品上に付与する。
【００３１】
ローションは噴霧ヘッド及びノズルの開口を通して押し出され、次いで分離された空気流により吸収性物品の表面に対して推進されられる。これらの空気流はノズルの開口周りに対称的に配置される。これらの空気流は開口から分離されており、これはローション及び空気が同じ開口からノズルを離れないことを意味する。
【００３２】
ローションは吸収性物品のトップシートに、吸収性物品の折り返しにまたはいずれかの他の表面（単数または複数）に付与されることができる。
【００３３】
本発明によれば、非常に細い繊維状ストリングも形成することができる。繊維状ストリングは２．２ｍｍ未満、好ましくは１ｍｍ未満、最も好ましくは０．７５ｍｍ未満の直径を持つことができる。
【００３４】
２．５−５ｍｍのオーダーの幅寸法のストリップを持つ通常の付与パターンに比べたとき、小さな繊維状ストリングは吸収性物品のトップシートにトップシートをブロッキングする危険なしにローションを添加する機会を与える。トップシート面積の大きな割合を被覆する付与パターンは吸収性物品の獲得速度及び間接的に吸収容量を減らすであろう。
【００３５】
本発明はまた、前記方法により製造され、かつ実質的に液体不透過性のバックシート、実質的に液体透過性のトップシート及びバックシートとトップシートの間に置かれた吸収性芯を含む吸収性物品に関する。この吸収性物品はローションを更に含む。ローションは連続繊維状ストリングの形状であり、５５℃で測定されたとき少なくとも０．２Ｐａの貯蔵弾性率を示す。
【００３６】
本発明の別の実施態様において、ローションは５５℃で測定されたとき少なくとも０．６Ｐａの貯蔵弾性率を示す。本発明のなお別の実施態様において、ローションは５５℃で測定されたとき少なくとも２．０Ｐａの損失弾性率を示す。
【００３７】
異なる種類のローションを使用することも十分に本発明の範囲内にある。しかし、貯蔵弾性率が５５℃で測定したとき少なくとも０．２Ｐａであることが重要である。
【００３８】
本発明で使用されるローション組成物は：
パラフィン類、脂肪酸エステル類、ポリヒドロキシ脂肪酸エステル類、脂肪族アルコール類、アルコキシル化脂肪酸エステル類、アルコキシル化脂肪族アルコール類及びこれらの化合物の混合物の群から選ばれた、２５℃から３７℃の範囲で溶融する成分の５から５０重量％、及び
ポリヒドロキシ脂肪酸エステル類、Ｃ１４−Ｃ２２脂肪族アルコール類、Ｃ１２−Ｃ２２脂肪酸類、これらの脂肪族アルコール類及び脂肪酸エステル類のアルコキシル化誘導体類、及びこれらの成分の混合物の群から選ばれた、４０℃から６０℃の範囲で溶融する成分の５から５０重量％、及び
水２５から４５重量％；
から選ばれることができる。
【００３９】
本発明の別の実施態様において、ローションは吸収性物品のトップシート上に連続繊維状ストリングとして置かれる。
【００４０】
図面の簡略説明
本発明は添付図面に示された図面に関して以下により詳細に説明されるであろう。図面において：
図１ａ及び１ｂは噴霧ヘッドを示し、
図２は噴霧ヘッドを含む噴霧銃を示し、
図２ａは噴霧装置を示し、
図３はローションが開口を通して押し出されるときのノズルの断面を示し、
図４は並んだ関係で取り付けられた幾つかの噴霧銃／モジュールを示し、
図５−１０は種々の噴霧パターンを示し、そして
図１１−１２は温度掃引グラフを示す。
【発明を実施するための最良の形態】
【００４１】
本発明はパンツおむつ、おむつ、失禁製品、衛生ナプキン、パンティライナー、マイクロ衛生ナプキン等のような幾つかの異なる種類の吸収性物品に適用されることができる。
【００４２】
図１ａ及び１ｂはローションを吸収性物品に付与するための噴霧ヘッド１を示す。噴霧ヘッド１は円形断面を持ち、また円形断面を持つ開口２を備えている。開口２は噴霧ヘッド１上の中心に置かれている。別個の空気流開口３が中心開口２の周りに対称的に置かれており、噴霧ヘッドの使用時に特定の方向に空気の流れ４を通過させるように配置されている。
【００４３】
指向された空気流４はローションを吸収性物品の表面に向けて推進させ、らせん形状のローション５の繊維状ストリングを形成させる。ローションの繊維状ストリングはトップシートを貫通せず、吸収性物品の吸収容量が減少するのを防ぐ。
【００４４】
図２は噴霧銃１０の一部に取り付けられた噴霧ヘッド１の概略的描写を示す。噴霧銃１０はローションのための一時的容器１２を含むカバー１１を含む。容器１２内に温度調節器１３があり、それによりローションの温度が調節されることができる。一時的容器１２からの小さなパイプ１４が噴霧ヘッド１上の中央開口２を一時的容器１２と連結する。
【００４５】
空気通路１５がカバー１１内に配置された室１６に空気を供給し、室１６は噴霧ヘッド１上の空気流開口３と直接連結されている。室１６は空気流調節器を備えており、それにより空気流の流れを調節することができる。
【００４６】
図２ａは本発明で使用されるような噴霧装置の概略描写を示す。この装置はローション貯蔵容器２０及びローションを貯蔵容器２０から噴霧ヘッド２２にポンプ輸送するためのポンプ２１を含み、噴霧ヘッド２２と貯蔵ポンプ２１は加熱ホース２３により連結されている。加圧空気２４が噴霧ヘッド２２に供給される。
【００４７】
図３はノズル３０の断面を示す。ノズル３０は中央に置かれた開口３１及び中央開口３１の近くにその両側に置かれた二つの分離された空気流開口３２を持つ。図３はまた、どのようにローションが中央開口３１を通して押し出され、それが中央開口３１を離れるとき空気流３５により推進されるかを示す。
【００４８】
図４は噴霧された表面上にローションのより幅広のパターンを作るためにどのように幾つかの噴霧銃またはモジュールが互いの次に置かれるかを示す。
【００４９】
この形式の噴霧ヘッドは米国Ｇｅｏｒｇｉａ  ３００７１、Ｎｏｒｃｒｏｓｓ、２９０５  Ｐａｃｉｆｉｃ  ＤｒｉｖｅのＮｏｒｄｓｏｎ（登録商標）社により製造され、商標Ｃｏｎｔｒｏｌｌｅｄ  Ｆｉｂｅｒｉｚａｔｉｏｎ  Ｓｐｎａｙ  Ｎｏｚｚｌｅｓの下にホットメルト接着剤付与のために商業的に入手可能である。
【００５０】
追加のモデルがまたＮｏｒｄｓｏｎ（登録商標）社から入手可能である。噴霧技術は更に米国特許４７８５９９６、米国特許４８１５６６０及びＥＰ特許４７４１５５に記載されている。
【００５１】
ローション組成物：
ローションはパラフィン類、脂肪酸エステル類、ポリヒドロキシ脂肪酸エステル類、脂肪族アルコール類、アルコキシル化脂肪酸エステル類、アルコキシル化脂肪族アルコール類及びこれらの化合物の混合物の群から選ばれた、２５℃から３７℃の範囲で溶融する成分ａ）の少なくとも５から５０重量％、及びポリヒドロキシ脂肪酸エステル類、Ｃ１４−Ｃ２２脂肪族アルコール類、Ｃ１２−Ｃ２２脂肪酸類、これらの脂肪族アルコール類と脂肪酸エステル類のアルコキシル化誘導体類、及びこれらの成分の混合物の群から選ばれた、４０℃から６０℃の範囲で溶融する成分ｂ）の５から５０重量％、及びｃ）水２５から４５重量％を含む組成物である。
【００５２】
本発明による組成物はエマルションまたは懸濁物である。エマルションは好ましくはＯ／ＷまたはＷ／Ｏ形式のものである。
【００５３】
貯蔵弾性率が０．２Ｐａを越えるように組成物を選ぶことにより、ローションを噴霧するとき連続繊維状ストリングが達成されることができる。
【００５４】
特定の乳化剤及び選択された油状物質に加えて、エマルションは２５−４５重量％、好ましくは２５−４０重量％、特に２５−３５重量％の水を含む。本発明による組成物は好ましくはＷ／Ｏエマルションの形である。
【００５５】
成分ａ）は当業者に知られた多数の化合物から選ばれることができ、融点は２５℃から最大で３７℃までの範囲内にあるべきである。まず、この目的のために、特定のパラフィン類を使用することができるが、脂肪酸エステル類、特に脂肪族アルコール類も使用できる。適当なパラフィン類は好ましくはソフトパラフィンのような半固体パラフィン類であり、好ましくはワセリンである。適当な脂肪族アルコール類は例えばドデカノールまたは不飽和脂肪族アルコール類の一つの代表として指名されるリシノールアルコールである。グリセリド類の使用は特に適当であり、ここで好ましいのは希望の２５℃から３７℃の融点を持つべきである部分グリセリド類とトリグリセリド類の混合物である。特に好ましくはここでは８から１８の炭素原子を持つ脂肪酸類のグリセリド類の混合物である。
【００５６】
グリセリド類は脂肪酸、すなわち、例えばカプロン酸、カプリル酸、２−エチルヘキサン酸、カプリン酸、ラウリン酸、イソトリデカン酸、ミリスチン酸、パルミチン酸、パルモール酸（ｐａｌｍｏｌｅｉｃ  ａｃｉｄ）、ステアリン酸、イソステアリン酸、オレイン酸、エライジン酸、ペトロセリン酸（ｐｅｔｒｏｓｅｌｉｃ  ａｃｉｄ）、リノール酸、リノレン酸、エラエオステアリン酸（ｅｌａｅｏｓｔｅａｒｉｃ  ａｃｉｄ）、アラキジン酸、ガドレイン酸、ベヘン酸及びエルカ酸、及びそれらの工業等級混合物とのグリセロールのモノ−、ジ−及び／またはトリエステル類を示す。それらは式（１）、
0004516063.tif 000002
に合致し、ここでＲはＣＯＲ′基であり、ここでＲ′は６から２２炭素原子を持つ枝分れしたまたは枝分れなしの、飽和または不飽和アルキル基であり、及び／またはそれらと独立して水素である。典型的な例はラウリン酸モノグリセリド、ラウリン酸ジグリセリド、ココナッツ脂肪酸モノグリセリド、ココナッツ脂肪酸トリグリセリド、パルミチン酸モノグリセリド、パルミチン酸トリグリセリド、ステアリン酸モノグリセリド、ステアリン酸ジグリセリド、イソステアリン酸モノグリセリド、イソステアリン酸ジグリセリド、オレイン酸モノグリセリド、オレイン酸ジグリセリド、タロー脂肪酸モノグリセリド、タロー脂肪酸ジグリセリド、ベヘン酸モノグリセリド、ベヘン酸ジグリセリド、エルカ酸モノグリセリド、エルカ酸ジグリセリド、及びそれらの工業等級混合物であり、それらはまた調製工程からの二次成分として少量のトリグリセリドを含むことができる。
【００５７】
ローションの本質的特徴は乳化剤成分ｃ）である。特に適当なのはＣ１２−Ｃ２１脂肪酸類とのグリセロールの部分エステル類であり、好ましくはグリセロールモノラウリン酸エステルである。更にポリビニルステアロールエステル、特に好ましくはポリグリセロールポリ−１２−ヒドロキシステアリン酸エステルが使用されることができる。
【００５８】
ポリオールポリ−１２−ヒドロキシステアリン酸エステル類は既知の物質で、それらは例えばＣｏｇｎｉｓ  Ｄｅｕｔｓｃｈｌａｎｄ  ＧｍｂＨにより名称Ｄｅｈｙｍｕｌｓ，ＰＷＰＨまたはＥｕｍｕｌｇｉｎ  ＶＬ７５またはＤｅｈｙｍｕｌｓ  ＳＰ１１の下に販売されている。これらの化合物に関する更なる詳細はヨーロッパ特許明細書ＥＰ  ０７６６６６１に与えられている。
【００５９】
これらの化合物のポリオール成分は少なくとも２、好ましくは３から１２、特に３から８のヒドロキシル基と２から１２の炭素原子とを持つ物質から誘導されることができる。典型的な例はグリセロール、ポリグリセロール、例えばエチレングリコール、ジエチレングリコール及びプロピレングリコールのような、アルキレングリコール類、メチロール化合物、好ましくはトリメチロールエタン、トリメチロールプロパン、トリメチロールブタン、ペンタエリスリトールまたはジペンタエリスリトール、アルキル基中に１から２２、好ましくは１から８、特に１から４の炭素原子を持つアルキルオリゴグリコシド、５から１２の炭素原子を持つ糖アルコール類、例えばソルビトールまたはマンニトール、及び５から１２の炭素原子を持つ糖、好ましくは単糖類またはショ糖、及びまたアミノ糖、例えばグルカミンである。ポリ−１２−ヒドロキシステアリン酸とポリグリセロールの反応性生物は特に有利であると立証された。ここで、ポリグリセロールは次の組成：グリセロール類５から３５重量％、ジグリセロール類１５から４０重量％、トリグリセロール類１０から３５重量％、テトラグリセロール類５から２０重量％、ペンタグリセロール類２から１０重量％及び残りのオリゴグリセロール類を持つ。
【００６０】
成分ａ）及び成分ｂ）及び水に加えて、本発明による組成物はまた、更なる成分、特に更なる乳化剤、好ましくは非イオン性乳化剤を含むことができる。非イオン性乳化剤はそれらの皮膚への優しさ及び温和さ及びそれらの環境毒物学的良性により特徴付けられる。非イオン性乳化剤類の組合せの使用は特に微細に分割されたエマルションを与え、組成物の安定性が増加されていることを意味する。本発明による組成物は組成物の合計重量に基づいて０から１５重量％、好ましくは１から１０重量％、特に３から１０重量％の量で共乳化剤（ｃｏｅｍｕｌｓｉｆｉｅｒ）を含む。
【００６１】
更に、本発明による組成物は更なる通常の成分、例えばシリコーンワックス類またはポリシロキサン類を、１から６重量％、好ましくは１．５から５．５重量％、特に２から５重量％の量で含むことができる。ポリシロキサン類はモノマー単位として次の構造：
0004516063.tif 000003
を含む既知の重合体化合物である。
ここで、Ｒ″及びＲ′′′は互いに独立的に水素またはアルキル、シクロアルキル、アリールまたはアルケニル基である。この形式のシロキサンは好ましくは３７℃で５から５０００ｍＰａｓの範囲の粘度を持つ。
【００６２】
加えて、かつ好ましくはローションは０．１から１０重量％、好ましくは１から８重量％、最も好ましくは２から６重量％の量で皮膚に優しい物質またはスキンケア物質を含むことができる。この形式の成分は例えば、ビサボロール、アラントイン及びパンテノールであることができる。またビタミン類、好ましくはビタミンＥ及びビタミン前駆体、及びタンパク加水分解物を使用することもできる。また適当なものはカミツレ、アロエベラ、ライムの花、セイヨウトチノキの実、緑茶、オークの樹皮、悪臭イラクサ、ホップ類、ゴボウ、トクサ、サンザシ、アーモンド、トウヒ針状葉、アーモンド木質部、ビャクシン、ココナッツ、あんず、レモン、コムギ、キーウィ、メロン、オレンジ、グレープフルーツ、セージ、マンネンロウ、カンバ、ゼニアオイ、タイム、コウスイハッカ、マメ科ハリモクシュク、フキタンポポ、チョウセンニンジン及びショウガの根からのような植物抽出物である。しかし、更に他のスキンケア物質もまた存在させることができる。ここで名を挙げることができるものは特にキトサン、及び酸化亜鉛またはリシノール酸亜鉛である。
【００６３】
特別な実施例において、エマルションは例えば脂肪添加剤（ｓｕｐｅｒｆａｔｔｉｎｇ  ａｇｅｎｔ）、増粘剤、重合体、ワックス、生物起源の活性成分、消臭活性成分、膜形成剤、ＵＶ光保護物質、酸化防止剤、向水性剤、防腐剤、虫忌避剤、自己なめし剤（ｓｅｌｆ−ｔａｎｎｉｎｇ  ａｇｅｎｔ）、可溶化剤、安定剤、香油、染料、抗菌剤等のような更なる任意の添加剤を含むことができる。
【００６４】
使用されることができる脂肪添加剤（ｓｕｐｅｒｆａｔｔｉｎｇ  ａｇｅｎｔ）は例えばラノリン及びレシチン、及びポリエトキシル化されたまたはアシル化されたラノリン及びレシチン誘導体、ポリオール脂肪酸エステル、モノグリセリド及び脂肪酸アルカノールアミド、のような物質であり、脂肪酸アルカノールアミドはまた発泡安定剤として役立つ。
【００６５】
適当な増粘剤は例えばＡｅｒｏｓｉｌ  ｇｒａｄｅｓ（親水性シリカ）、多糖類、特にキサンタンガム、グアーガム、寒天、アルギネート及びＴｙｌｏｓｅｓ、カルボキシメチルセルロース及びヒドロキシエチルセルロース、及びまた比較的高分子量のポリエチレングリコールの脂肪酸モノ−及びジエステル、ポリアクリル酸エステル（例えばＧｏｏｄｒｉｃｈ社からのＣａｒｂｏｐｏｌｓ（登録商標）またはＳｉｇｍａ社からのＳｙｎｔｈａｌｅｎｓ（登録商標））、ポリアクリルアミド、ポリビニルアルコール及びポリビニルピロリドン、例えばエトキシル化脂肪酸グリセリドのような界面活性剤、例えばペンタエリスリトールまたはトリメチロールプロパンのようなポリオールと脂肪酸のエステル、狭い同族体分布を持つ脂肪族アルコールエトキシレートまたはアルキルオリゴグルコシド、及び塩化ナトリウム及び塩化アンモニウムのような電解質である。
【００６６】
適当なカチオン性重合体は、例えばＡｍｅｒｃｈｏｌ社からＰｏｌｙｍｅｒ  ＪＲ４００（登録商標）の名の下に入手可能な四級化ヒドロキシエチルセルロースのようなカチオン性セルロース誘導体、カチオン性デンプン、ジアリルアンモニウム塩とアクリルアミドの共重合体、例えば（ＢＡＳＦ社）のＬｕｖｉｑｕａｔ（登録商標）のような四級化ビニルピロリドン／ビニルイミダゾール重合体、ポリグリコールとアミンの縮合生成物、例えばラウリルジモニウムヒドロキシプロピル加水分解コラーゲン（Ｌａｍｅｑｕａｔ（登録商標）Ｌ／Ｇｒｕｅｎａｕ社）のような四級化コラーゲンポリペプチド、四級化小麦ポリペプチド、ポリエチレンイミン、例えばアミドメチコーンのようなカチオン性シリコーン重合体、アジピン酸とジメチルアミノヒドロキシプロピルジエチレントリアミンの共重合体（Ｃａｒｔａｒｅｔｉｎｓ（登録商標）／Ｓａｎｄｏｚ社）、アクリル酸とジメチルジアリルアンモニウムクロリドの共重合体（Ｍｅｒｑｕａｔ（登録商標）５５０／Ｃｈｅｍｖｉｒｏｎ社）、ポリアミノポリアミド、例えば任意的に微小結晶分散の四級化キトサンのようなカチオン性キチン誘導体、例えばジブロモブタンのようなジハロアルキルと例えばビスジメチルアミノ−１，３−プロパンのようなビスジアルキルアミンからの縮合生成物、例えばＣｅｌａｎｅｓｅ社からのＪａｇｕａｒ（登録商標）ＣＢＳ、Ｊａｇｕａｒ（登録商標）Ｃ−１７、Ｊａｇｕａｒ（登録商標）Ｃ−１６のようなカチオン性グアーガム、例えばＭｉｒａｎｏｌ社からのＭｉｒａｐｏｌ（登録商標）Ａ−１５、Ｍｉｒａｐｏｌ（登録商標）ＡＤ−１、Ｍｉｒａｐｏｌ（登録商標）ＡＺ−１のような四級化アンモニウム塩重合体である。
【００６７】
適当なアニオン性、双性イオン性、両性及び非イオン性重合体は、例えば酢酸ビニル／クロトン酸共重合体、ビニルピロリドン／ビニルアクリレート共重合体、酢酸ビニル／ブチルマレエート／イソボロニルアクリレート共重合体、メチルビニルエーテル／無水マレイン酸共重合体及びそれらのエステル、非架橋のポリアクリル酸、ポリオールで架橋したポリアクリル酸、アクリルアミドプロピルトリメチルアンモニウムクロリド／アクリレート共重合体、オクチルアクリルアミド／メチルメタクリレート／ｔｅｒｔ−ブチルアミノエチルメタクリレート／２−ヒドロキシプロピルメタクリレート共重合体、ポリビニルピロリドン、ビニルピロリドン／酢酸ビニル共重合体、ビニルピロリドン／ジメチルアミノエチルメタクリレート／ビニルカプロラクタム三元重合体、及び任意的に誘導体化されたセルロースエーテル及びシリコーンである。
【００６８】
生物起源の活性成分は例えばトコフェロール、酢酸トコフェロール、パルミチン酸トコフェロール、アスコルビン酸、デオキシリボ核酸、レチノール、ビサボロール、アラントイン、フィタントリオール、パンテノール、α−ヒドロキシカルボン酸、アミノ酸、セラミド、シュードセラミド、精油、植物抽出物及びビタミン複合体を意味するものとして理解されるべきである。
【００６９】
適当な消臭活性成分は例えば塩化水素アルミニウム、塩化水素アルミニウムジルコニウム、及び亜鉛塩のような発汗抑制剤である。これらは発汗抑制剤及び消臭調剤の調製のために使用され、恐らく汗腺のタンパク質及び／または多糖沈澱による部分的閉鎖を介して作用する。塩化水素塩に加えて、またアルミニウムヒドロキシアセテート及び酸性アルミニウム／ジルコニウム塩を使用することもできる。式［Ａｌ２（ＯＨ）５Ｃｌ］・２．５Ｈ２Ｏに相当し、その使用が特に好ましい塩化水素アルミニウムは例えばＣｌａｒｉａｎｔ  ＧｍｂＨ社により商品名Ｌｏｃｒｏｎ（登録商標）の下に商業的に入手可能である。本発明により同様に好ましいのはアルミニウムジルコニウムテトラクロロヒドレックスグリシン錯体の使用であり、これらは例えばＲｅｈｅｉｓ社により商品名Ｒｅｚａｌ（登録商標）３６Ｇの下に市販されている。添加されることができる更なる消臭剤活性成分はエステラーゼ阻害剤である。これらは好ましくはクエン酸トリメチル、クエン酸トリプロピル、クエン酸トリイソプロピル、クエン酸トリブチル、及び特にクエン酸トリエチル（Ｈｙｄａｇｅｎ（登録商標）Ｃ．Ａ．Ｔ．，Ｃｏｇｎｉｓ  Ｄｅｕｔｓｃｈｌａｎｄ  ＧｍｂＨ社）のようなクエン酸トリアルキルである。この物質は酵素活性を阻害し、従って臭いの形成を減らす。多分、この工程で、クエン酸エステルの開裂が遊離酸の放出をもたらし、それが酵素が阻害されるのに十分な程皮膚上のｐＨを下げる。エステラーゼ阻害剤として適当な更なる物質は例えばラノステロール、コレステロール、カンペステロール、スティグマステロール及びシトステロールのスルフェート及びホスフェートのようなステロールスルフェートまたはホスフェート、例えばグルタル酸、モノエチルグルタレート、ジエチルグルタレート、アジピン酸、モノエチルアジペート、ジエチルアジペート、マロン酸及びジエチルマロネートのようなジカルボン酸及びそれらのエステル、例えばクエン酸、リンゴ酸、酒石酸または酒石酸ジエチルのようなヒドロキシカルボン酸及びそれらのエステルである。細菌フロラに影響を与え、汗を分解する細菌を破壊し、またはそれらの生長を阻害する抗菌活性成分は同様にエマルション中に存在させることができる。それらの例はキトサン、フェノキシエタノール及びクロルヘキシジングルコネートである。Ｂａｓｌｅ／ＣＨのＣｉｂａ−Ｇｅｉｇｙ社により商品名Ｉｒｇａｓａｎ（登録商標）の下に販売されている５−クロロ−２−（２，４−ジクロロフェノキシ）フェノールは特に有効であると証明された。
【００７０】
組成物の流動性を改善するために、例えばエタノール、イソプロピルアルコール、またはポリオールのような向水性剤を使用することができる。ここで適当なポリオールは好ましくは２から１５の炭素原子と少なくとも二つのヒドロキシル基を持つ。ポリオールはまた更なる官能基、特にアミノ基を含むことができ、または窒素で変性されることができる。任意の添加剤の合計百分率は組成物基準で１から５０重量％、好ましくは５から４０重量％であることができる。
【００７１】
更に、エマルションを安定化する任意の成分、例えばグリセロールまたは硫酸マグネシウムを、好ましくは各場合に０．１から最大で５重量％、好ましくは０．１から１．５重量％の量で共同使用することが有利であるかもしれない。
【００７２】
組成物は通例の常温または熱加工法により調製されることができるが、転相温度法を用いるのが好ましい。
【００７３】
次の例において以下の組成物が使用された：
８４
４０重量％のＣ１４／Ｃ１６−脂肪酸に基づく部分グリセリド／トリグリセリド混合物（融点範囲：３３．０℃−３５．５℃）、
１５重量％のＣ１４／Ｃ１６−脂肪酸に基づく部分グリセリド／トリグリセリド混合物（融点範囲：４０．０℃−４２．０℃）、
１３重量％のポリビニルステアリルエーテル、
１．４５重量％のグリセロール（８６％純度）、
０．３０重量％のＭｇＳＯ４・７Ｈ２Ｏ、
残り：水。
【００７４】
５８
参照ローションは：
５０−６０重量％のココナッツ脂肪酸の部分グリセリドの混合物（融点３０−３４℃）、
１０−２０重量％のステアリルアルコール（融点５６−６０℃）、
２０重量％のポリビニルステアリルエーテル（融点４５−４８℃）、
２重量％のシリコーンワックス、
を含む。
【００７５】
異なる温度で二つの異なるローションを図２ａに示された装置により噴霧したときの噴霧試験、図５−１０からの結果。
0004516063.tif 000004
【００７６】
５５℃での特性値（図１１−１２から）：
0004516063.tif 000005
【００７７】
測定はＵＫのＴＡ  ＩｎｓｔｒｕｍｅｎｔｓのＲｈｅｏｍｅｔｅｒ  ＡＲ  １０００−Ｎを用いてなされた。
【００７８】
温度掃引：
0004516063.tif 000006
【００７９】
ローション５８で噴霧するときのホットメルト接着剤装置（図２ａに記載されたような）パラメーター：
0004516063.tif 000007
【００８０】
ローション８４で噴霧するときのホットメルト接着剤装置（図２ａに記載されたような）パラメーター：
0004516063.tif 000008
【図面の簡単な説明】
【００８１】
【図１】図１ａ及び１ｂは噴霧ヘッドを示す。
【図２】噴霧ヘッドを含む噴霧銃を示し、図２ａは噴霧装置を示す。
【図３】ローションが開口を通して押し出されるときのノズルの断面を示す。
【図４】並んだ関係で取り付けられた幾つかの噴霧銃／モジュールを示す。
【図５】噴霧パターンを示す。
【図６】噴霧パターンを示す。
【図７】噴霧パターンを示す。
【図８】噴霧パターンを示す。
【図９】噴霧パターンを示す。
【図１０】噴霧パターンを示す。
【図１１】温度掃引グラフを示す。
【図１２】温度掃引グラフを示す。
【図１】
0004516063.tif 000009
【図２】
0004516063.tif 000010
【図３】
0004516063.tif 000011
【図４】
0004516063.tif 000012
【図５】
0004516063.tif 000013
【図６】
0004516063.tif 000014
【図７】
0004516063.tif 000015
【図８】
0004516063.tif 000016
【図９】
0004516063.tif 000017
【図１０】
0004516063.tif 000018
【図１１】
0004516063.tif 000019
【図１２】
0004516063.tif 000020